(57)【要約】［課題］郵便物などの封書を開封する場合、はさみ、カッター、ペーパーナイフなど単純な道具を使って開封するので、効率が悪く時間が掛かる。しかもむき出しの刃物を使うため、安全性も高くはない。［解決の手段］（１）　カッターの刃を内蔵し（外に出ていない）、封書の先端を差し込むだけで切断する位置が設定され、移動体を動かすだけで（封書の）設定された位置が切断できる機器。（２）　カッターの刃を内蔵した（外に出ていない）機器を、封書の先端にはめ込み、その機器を横にスライドするだけで封書の先端が切断できる機器。【選択図】図４
2004024818.tif 000002
【特許請求の範囲】
【請求項１】
郵便物等の封書の先端をワンタッチで切断し、簡単に封書の開封を行う機器。機器本体に封書の先端を差込み、機器本体のガイドレールに沿ってカッターの刃の付いた移動体を動かし、ワンタッチで封書の先端を切断する。　カッターの刃はカートリッジ方式で容易に交換できる。機器の下部には溝があり、この溝から切断された封書の先端部が下に落ちる。　機器の下部には足が付いており、機器の下部に切断された封書の先端が溜まるスペースを作る。この足の下には吸盤を設置し、機器を机上等に固定し、切断に両手が使えるようにする。切断された封書の先端が内部に詰まった場合、これを取り除くため、切断された封書の先端を落すための穴をいくつか溝の上部設ける。この穴から針金などを通して、詰まった（切り落とされた）先端部を機器から外へ取り除く。カッターの刃は機器の内部にあり、使用者に触れ難く安全性が高い。以上の機能を持った機器。
【請求項２】
郵便物等の封書の先端をワンタッチで切断し、簡単に封書の開封を行う機器。封書の先端に、この機器をはめ込み、横にスライドさせ、ワンタッチで、封書の先端を切断し開封を行う機器。カッターの刃は機器の内部にあり、使用者に触れ難く、安全性が高い。以上の機能を持った機器。
【発明の詳細な説明】
［発明の属する技術分野］
【００１】
事務用品関連技術
【００２】
［従来の技術］
郵便物等の封書を開封する場合、はさみ、カッター、ペーパーナイフなどを引き出しから取り出し、封書の先端を切断し、開封していた。すなわち作業の効率が悪く、大量に開封を行う場合、時間が掛かっていた。　しかもむき出しの刃物を使うため、安全性にも問題があった。
【００３】
［発明が解決しようとする課題］
郵便物などの封書を開封する場合、はさみ、カッター、ペーパーナイフなど単純な道具を使って開封するので、効率が悪く作業に時間が掛かる。しかもむき出しの刃物を使うため、安全性も低い。
【００４】
［課題を解決するための手段］
（１）カッターの刃を内蔵し（外に出ていない）、封書の先端を差し込むだけで切断する位置が設定され、移動体を動かすだけで（封書の）設定された位置が切断できる機器。
（２）カッターの刃を内蔵した（外に出ていない）機器を封書の先端にはめ込み、その機器を横にスライドするだけで封書の先端が切断できる機器。
【００５】
［発明実施の形態］
［実施例］
［例１］
図１、図２、図３、図４、図５、図６で例１を説明する。
本装置の側面には開封する封書（以下“封書”と略称する）の先を挿入する入り口（符号１２）があり、ここから封書を挿入する。この入り口の奥にはストッパー（符号７）がありこの入り口から挿入された封書の先端はこのストッパーの位置までしか入れられない。このストッパーに封書の先端が当たるまで封書の先端を本装置の中に押し込む。
本装置の上面には溝（符号６）があり、その縁にはガイドレール（符号４）が付いている。このガイドレールにはカッターの刃（符号９）の付いた移動体（符号１４）が乗っている。（はめ込まれている）　この移動体の上部には握り（符号２）が付いており、本装置の使用者はこの握りを握って、移動体をガイドレールに沿うって移動させることができる。本装置に封書を差し込んだ状態でこの移動体をガイドレールに沿って移動させると、移動体に付いているカッターの刃が封書の先端を切断する。　この移動体はガイドレールに拘束されており、ガイドレールに沿った１次元運動しかできないこと及びこのガイドレールとストッパー（符号７）の位置関係は固定されているので、切断される封書の先端の幅は一定である。切断された封書の先端部分は装置下部の溝（符号２２）より外部へ落下する。もしも切り落とされた先端部が装置の内部に詰まった場合、装置上面の穴（符号５）から針金等で突いて外部で取り出す。本装置の下部には足（符号１１）が付いており、落下してくる封書の先端部分が溜まるスペースを確保する。更に足の先には吸盤（符号１０）が付いており、本装置を机等に固定し、使用者は両手を使って、開封作業ができるようになっている。移動体（符号１４）には刃の付いたカートリッジ（符号１５）がはめ込まれている。このカートリッジはガイドにより移動体の進行方向と刃の角度がゼロ（平行）になるように設定されておりワンタッチで挿入できこの角度も平行になる。交換の時は引き出し紐（符号１６）を引くことにより、容易に取り外すことができる。
切断に使われる刃（符号９）は溝（符号２２）の縁に沿って移動する例（図２、図５）と溝（符号２２）に近いが本体内部のカッティングマット（符号１７）の上面を移動する例（図３、図６）がある。握り（符号２）は移動体（符号１４）の上部にねじ（符号２１）でねじ込んで固定される。（図５及び図６参照）
［例２］
図７、図８、図９、図１０、図１１で例２を説明する。
本装置の本体（符号１８）を、開封する封書（符号１３）の先端にはめ込む（本装置内部の天井（符号２３）に封書の先端が当たるまで入れる）。最初に本装置を封書の先端にはめ込む位置は封書の先端部分の端の位置とし（図１１参照）、カッターの刃（符号２０）が封書の先端に当たらない部分とする。本装置の本体にはカッターの刃（符号２０）の付いたカートリッジ（符号１９）がはめ込まれている。刃と封書の角度は直角になるように設定されている。（図７参照）また封書を本装置の内部の天井（符号２３）に当たるまで押し込めば、この天井とカッターの刃（符号２０）が移動する位置は一定なので、切断される封書の先端の幅は一定になる。　本装置を封書の先端にはめ込んだ状態で本装置を封書の先端に沿って移動させれば、封書の先端は切断される。又刃の付いたカートリッジ（符号１９）は容易に交換できる。
【００６】
［発明の効果］
（１）封書を短時間で簡単に開封できる。
（２）開封に使うカッターの刃は本体内部にあるため、安全に取り扱える。
（３）カッターの刃は容易に交換できる。
【００７】
【図面の簡単な説明】
【図１】例１の平面図。（上から見た図）
【図２】例１の平面図。（下から見た図）　カッターの刃が溝の縁に沿って移動するケース。
【図３】例１の平面図。（下から見た図）　カッターの刃がカッティングマット上を移動するケース。
【図４】例１の立面図。
【図５】例１の移動体と握り部の断面図。　カッターの刃が溝の縁に沿って移動するケース。
【図６】例１の移動体と握り部の断面図。　カッターの刃がカッティングマット上面を移動するケース。
【図７】例２　本装置が封書の先端を切断している図。封書の先端から封書に平行方向に見た図
【図８】例２　本装置が封書の先端を切断している図。封書の面に直角方向から見た図。
【図９】例２　図７のＡ−Ａ方向から見た本装置の側面図。
【図１０】例２　図８のＢ−Ｂ方向から見た本装置の平面図。
【図１１】例２　図８のＢ−Ｂ方向から見た本装置の平面図。本装置を封書にはめ込む最初の位置を示す。
【符号の説明】
１　本体
２　握り
３　壁
４　ガイドレール
５　穴
６　溝
７　ストッパー
８　溝
９　カッターの刃
１０　吸盤
１１　足
１２　封筒の先を入れる入り口
１３　封書
１４　移動体
１５　刃の付いたカートリッジ
１６　カートリッジを引き出す紐
１７　カッティングマット
１８　本体
１９　刃の付いたカートリッジ
２０　カッターの刃
２１　ねじ
２２　溝
２３　天井
【図１】
2004024818.tif 000003
【図２】
2004024818.tif 000004
【図３】
2004024818.tif 000005
【図４】
2004024818.tif 000006
【図５】
2004024818.tif 000007
【図６】
2004024818.tif 000008
【図７】
2004024818.tif 000009
【図８】
2004024818.tif 000010
【図９】
2004024818.tif 000011
【図１０】
2004024818.tif 000012
【図１１】
2004024818.tif 000013